(57)【要約】      （修正有）【課題】猫が後足で立った姿勢でも四つんばいの姿勢でも爪とぎを行なうことができ、不要なときはコンパクトな形にして一時的に片づけておける猫用爪とぎ具を提供する。【解決手段】細長矩形の段ボールを積層接着して厚みのある矩形板状の水平側爪とぎ部材３、垂直側爪とぎ部材２を形成する。垂直側爪とぎ部材を丁度収納できる大きさの垂直側収納箱４に細長矩形段ボールを長さ方向中央でＬ字状に折り曲げたＬ字状部材６をその折り曲げ部を箱内隅に当接させた状態で載置し、垂直側収納箱の開口部に水平側爪とぎ部材を押し込んで取り付ける。それら全体を垂直側収納箱を収納可能な大きさの水平側収納箱５の長手方向内隅にＬ字状部材の突出した片側片を底面側にして垂直に立て、該状態にて残された水平側収納箱の開口部に開口部に等しい大きさの水平側爪とぎ部材を押し込んで取り付ける。【選択図】図２
0003200657.tif 000002
【実用新案登録請求の範囲】
【請求項１】
爪とぎ用に猫に使用させる猫用爪とぎ具であって、該猫用爪とぎ具は垂直設置する垂直側爪とぎ部材とそれを収納する垂直側収納箱、水平設置する水平側爪とぎ部材とそれを収納する水平側収納箱、Ｌ字状部材を備えて構成され、
前記水平側爪とぎ部材、垂直側爪とぎ部材は共に細長矩形の両面段ボールを積層接着して矩形板状とし、両面段ボールの中芯断面が表出している面を爪とぎ面として利用するもので、
前記垂直側収納箱は垂直側爪とぎ部材をその片側爪とぎ面を開口面に表出させた状態で丁度収納できる矩形収納箱、前記水平側収納箱は前記垂直側収納箱をその開口面を自身の開口面側に向けた状態で収納できて深さが垂直側収納箱の１．５乃至２倍の矩形収納箱、前記Ｌ字状部材は垂直側収納箱に納まる大きさの細長矩形の両面段ボールを中芯の伸びる長さ方向中央でＬ字状に折り曲げたものであり、
前記垂直側収納箱の長手方向内隅に前記Ｌ字状部材をその折り曲げ部を箱内隅に当接させた状態で載置し、次いで垂直側収納箱の開口部に前記垂直側爪とぎ部材を押し込んで取り付け、次いで、該状態の垂直側収納箱をＬ字状部材の突出した片側片を底面側にして水平側収納箱の長手方向内隅に垂直に立て、該状態にて残された水平側収納箱の開口部に該開口部に納まる大きさの前記水平側爪とぎ部材を押し込んで構成したことを特徴とする猫用爪とぎ具。
【考案の詳細な説明】
【技術分野】
【０００１】
本考案は、爪とぎ用に猫に使用させる猫用爪とぎ具に関する。
【背景技術】
【０００２】
猫にとって爪は身を守る最大の武器であり、また捕食のための重要な武器であるため、猫にはその爪を常に鋭く保つため爪とぎを行なう習性がある。その習性を理解せずに放置しておくと、ペットの猫は柱や家具などで爪とぎを行ないそれらに傷をつける。そうした行為をさせないためには適当な猫用爪とぎ具を与えておく必要がある。
【０００３】
猫用爪とぎ具は各種提案されており市販品も多い。例えば、特許文献１には縮小した畳の表裏両面に畳表および畳縁を施して両面使用可能にした猫用爪とぎが開示されている。また、特許文献２には合成樹脂膜の破砕物で構成した複数枚のシート材を積層接着してなる積層体の積層面又は平面を爪とぎ面として使用する猫の爪とぎ器が開示されている。特許文献３には不織布又は不織紙を蛇腹状に折曲げてそれぞれの折曲面が密着するまで圧縮したことを特徴とする猫の爪とぎ材が開示されている。
【０００４】
しかし、これらの猫用爪とぎは全体形状を板状又は棒状とし、柱や壁に取りつけたり、立て掛けたり、床に横たえたりして猫に使用させるものである。ところが猫は後足で立った姿勢で爪とぎするほか、四つんばいのまま前足を前後させて爪をとぐ場合があり、前述した猫用爪とぎでは一方の姿勢での爪とぎにしか対応できない問題がある。また、爪とぎでは削り屑が発生するため削り屑を散乱させない工夫が必要である。更に、猫用爪とぎはあまり見栄えのよいものでないため、常時設置しておくのでなく一時的に片づけたい場合がある。こうしたことから後足で立った姿勢での爪とぎ、四つんばい姿勢での爪とぎの双方に対応でき、削り屑の散乱もある程度防止でき、且つ一時的な片づけを簡単にできる猫用爪とぎ具が望まれる。
【先行技術文献】
【特許文献】
【０００５】
【特許文献１】特開２０１１−９７９１６号公報
【特許文献２】特開２００５−２１０９２２号公報
【特許文献３】特開平８−１９６１５９号公報
【考案の開示】
【考案が解決しようとする課題】
【０００６】
本考案はこうした背景からなされたもので、その課題は猫が後足で立った姿勢でも四つんばいの姿勢でも爪とぎを行なうことができ、削り屑の散乱もある程度防止でき、不要なときはコンパクトな形にして一時的に片づけておける猫用爪とぎ具を提供することにある。
【課題を解決するための手段】
【０００７】
前記課題を解決するための請求項１に記載の考案は、爪とぎ用に猫に使用させる猫用爪とぎ具であって、該猫用爪とぎ具は垂直設置する垂直側爪とぎ部材とそれを収納する垂直側収納箱、水平設置する水平側爪とぎ部材とそれを収納する水平側収納箱、Ｌ字状部材を備えて構成され、水平側爪とぎ部材、垂直側爪とぎ部材は共に細長矩形の両面段ボールを積層接着して矩形板状とし、両面段ボールの中芯断面が表出している面を爪とぎ面として利用するもので、垂直側収納箱は垂直側爪とぎ部材をその片側爪とぎ面を開口面に表出させた状態で丁度収納できる矩形収納箱、水平側収納箱は垂直側収納箱をその開口面を自身の開口面側に向けた状態で収納できて深さが垂直側収納箱の１．５乃至２倍の矩形収納箱、Ｌ字状部材は垂直側収納箱に納まる大きさの細長矩形の両面段ボールを中芯の伸びる長さ方向中央でＬ字状に折り曲げたものであり、垂直側収納箱の長手方向内隅にＬ字状部材をその折り曲げ部を箱内隅に当接させた状態で載置し、次いで垂直側収納箱の開口部に垂直側爪とぎ部材を押し込んで取り付け、次いで、該状態の垂直側収納箱をＬ字状部材の突出した片側片を底面側にして水平側収納箱の長手方向内隅に垂直に立て、該状態にて残された水平側収納箱の開口部に該開口部に納まる大きさの水平側爪とぎ部材を押し込んで構成したことを特徴とする猫用爪とぎ具である。
【０００８】
このような構成の猫用爪とぎ具は垂直状態と水平状態の二つの爪とぎ面を有するため、猫は後足で立った姿勢でも四つんばいの姿勢でも爪とぎを行なうことができる。また、水平側収納箱の開口部は垂直側収納箱を収納できる大きさで、その深さは垂直側収納箱の深さより深くしてあるので使用しないときは垂直側収納箱を水平側収納箱の中に入れ、Ｌ字状部材は伸ばしてその上に載せることによりコンパクトな形にできる。更に、水平側収納箱の深さ寸法は水平側爪とぎ部材の厚み寸法より大きいので、猫の爪とぎで発生した段ボール屑は水平側収納箱内の水平側爪とぎ部材の上に溜まり、散乱が防止される。
【図面の簡単な説明】
【０００９】
【図１】本考案に係る猫用爪とぎ具１の外観斜視図である。
【図２】猫用爪とぎ具１の分解斜視図である。
【図３】爪とぎ部材２、３の構成図である。
【図４】猫用爪とぎ具１の組立て手順の説明図である。
【図５】猫用爪とぎ具１の組立て手順の説明図である。
【図６】猫用爪とぎ具１の収納図である。
【考案を実施するための形態】
【００１０】
以下、本考案に係る猫用爪とぎ具の一実施形態について図面を参照して説明する。図１は本考案に係る猫用爪とぎ具１の外観斜視図、図２はその分解斜視図である。猫用爪とぎ具１は垂直側爪とぎ部材２、水平側爪とぎ部材３、垂直側収納箱４、水平側収納箱５、Ｌ字状部材６を備えて構成されている。
【００１１】
垂直側爪とぎ部材２、水平側爪とぎ部材３は猫が爪とぎを行なう爪とぎ面２ａ、３ａを備えた部材である。図３は垂直側爪とぎ部材２、水平側爪とぎ部材３の構成を説明する図で、爪とぎ部材は図３の（１）に示すような細長矩形の両面段ボール７を積層接着して図３の（２）に示すような厚みのある矩形板状としたものである。両面段ボール７の中芯断面が表出している一方の面７ａを爪とぎ面として利用する。垂直側爪とぎ部材２、水平側爪とぎ部材３の表裏間の厚みは同じにしてある。
【００１２】
垂直側収納箱４は垂直側爪とぎ部材２を、その片側爪とぎ面２ａを開口面に表出させた状態で丁度納めることのできる矩形収納箱である。水平側収納箱５は垂直側収納箱４をその開口面を自身の開口面側に向けた状態で収納することができ、深さは垂直側収納箱４の深さの１．５乃至２倍の矩形収納箱である。収納箱は厚紙又は合成樹脂板で製作する。Ｌ字状部材６は垂直側収納箱４に納まる大きさの細長矩形の両面段ボールを中芯の伸びる長さ方向中央でＬ字状に折り曲げたものである。
【００１３】
猫用爪とぎ具１の組立てはこれら部品を用いて図４、図５に示す手順で行なう。最初に、図４の（１）に示すように垂直側収納箱４を垂直姿勢にし、その長手方向下側内隅にＬ字状部材６をその折り曲げ部を箱内隅に当接させた状態で載置する。次いで垂直側収納箱４の開口部に、垂直側爪とぎ部材７を図４の（２）に示すように押し込んで取り付ける。垂直側爪とぎ部材２は垂直側収納箱４の開口に丁度納まる形状に形成されているので、載置したＬ字状部材６のダンボールの厚み分だけ上下方向に圧縮した状態で嵌め込む。
【００１４】
次いで垂直側爪とぎ部材２、Ｌ字状部材６を取りつけた垂直側収納箱４を図５に示すように、突出しているＬ字状部材６の片側片を底面側にして水平側収納箱５の長手方向内隅に垂直に立てる。最後に水平側収納箱５の残された開口部に水平側爪とぎ部材３を押し込んで取りつける。水平側収納箱５の開口部は垂直側収納箱４をその開口面を自身の開口面側に向けた状態で収納できる大きさに形成してあるので、水平側爪とぎ部材５はその長手方向長さを垂直側爪とぎ部材２の長さよりとぎ部材２の厚み分だけ短く形成しておくことで開口部に嵌め込むことができる。嵌め込みが完了すると図１に示したような猫用爪とぎ具１が完成する。Ｌ字状部材６は垂直側収納箱４が倒れるのを防止するのに役立っている。
【００１５】
以上説明した猫用爪とぎ具１は垂直状態と水平状態の二つの爪とぎ面２ａ、３ａを有するので、猫は後足で立った姿勢でも四つんばいの姿勢でも爪とぎを行なうことができる。また、水平側収納箱５の開口部は垂直側収納箱４を収納できる大きさで、その深さは垂直側収納箱４の深さの１．５乃至２倍にしてあるので使用しないときは垂直側収納箱４を水平側収納箱５の中に入れ、Ｌ字状部材６は伸ばしてその上に載せることにより図６に示すようなコンパクトな形にできる。このような商品を販売する側にとっては、このようにコンパクトな形にできることは注文を受けて商品を発送する際に便利である。更に、水平側収納箱５の深さは水平側爪とぎ部材３の厚み寸法より大きいので、猫の爪とぎで発生した段ボール屑は水平側収納箱５内の水平側爪とぎ部材３の上に溜まり、散乱が防止される。
【符号の説明】
【００１６】
図面中、１は猫用爪とぎ具、２は垂直側爪とぎ部材、２ａ、２ｂは爪とぎ面、３は水平側爪とぎ部材、４は垂直側収納箱、５は水平側収納箱、６はＬ字状部材、７は両面段ボールを示す。
【図１】
0003200657.tif 000003
【図２】
0003200657.tif 000004
【図３】
0003200657.tif 000005
【図４】
0003200657.tif 000006
【図５】
0003200657.tif 000007
【図６】
0003200657.tif 000008